(57)【要約】【課題】  着脱可能な記録媒体に記録された画像データを誤って消去したときでも、画像データの復旧が可能となるようにする。【解決手段】  コントローラ１０５が消去キーの押し下げを検出すると、その消去される画像データが何処に有るどういうものかの判断を行い、メモリカード１０９に有る画像データである場合は、バックアップ動作としてメモリカード１０９から固有のＩＤを読み出し、そのＩＤと、画像データのファイル名、更に画像データ自体をひとまとめにし内蔵記録媒体１０７に記録した後、メモリカード１０９内の当該画像データを消去する。【選択図】  図１
2006014184.tif 000002
【特許請求の範囲】
【請求項１】
撮影された画像データを着脱可能な記録媒体に記録するとともに、内蔵記録媒体を備えた撮像装置であって、
前記着脱可能な記録媒体に記録された画像データの消去指示があるときに、当該画像データを前記内蔵記録媒体に記録した後に、前記着脱可能な記録媒体からの消去を実行する手段を有することを特徴とする撮像装置。
【請求項２】
前記着脱可能な記録媒体は固有のＩＤ情報を有し、前記着脱可能な記録媒体に記録された画像データの消去指示があるときに、当該画像データとともに前記ＩＤ情報も前記内蔵記録媒体に記録することを特徴とする請求項１に記載の撮像装置。
【請求項３】
撮影された画像データを着脱可能な記録媒体に記録するとともに、内蔵記録媒体を備えた撮像装置であって、
前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手段を有することを特徴とする撮像装置。
【請求項４】
前記内蔵記録媒体に、画像データとともに前記着脱可能な記録媒体が有する固有のＩＤ情報が記録されている場合に、その画像データの消去指示或いは表示指示或いは転送指示があった場合、ＩＤ情報の合致する着脱可能な記録媒体が装着されているときのみ当該指示に従うことを特徴とする請求項２又は３に記載の撮像装置。
【請求項５】
撮影された画像データを着脱可能な記録媒体に記録するとともに、内蔵記録媒体を備えた撮像装置による画像データ管理方法であって、
前記着脱可能な記録媒体に記録された画像データの消去指示があるときに、当該画像データを前記内蔵記録媒体に記録した後に、前記着脱可能な記録媒体からの消去を実行する手順を有することを特徴とする画像データ管理方法。
【請求項６】
撮影された画像データを着脱可能な記録媒体に記録するとともに、内蔵記録媒体を備えた撮像装置による画像データ管理方法であって、
前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手順を有することを特徴とする画像データ管理方法。
【請求項７】
撮影された画像データを着脱可能な記録媒体に記録するとともに、内蔵記録媒体を備えた撮像装置に用いられるコンピュータプログラムであって、
前記着脱可能な記録媒体に記録された画像データの消去指示があるときに、当該画像データを前記内蔵記録媒体に記録した後に、前記着脱可能な記録媒体からの消去を実行する処理を実行させることを特徴とするコンピュータプログラム。
【請求項８】
撮影された画像データを着脱可能な記録媒体に記録するとともに、内蔵記録媒体を備えた撮像装置に用いられるコンピュータプログラムであって、
前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する処理を実行させることを特徴とするコンピュータプログラム。
【発明の詳細な説明】
【技術分野】
【０００１】
本発明は、撮像された画像データを着脱可能な記録媒体に記録するとともに、内蔵記録媒体を備えた撮像装置、撮像装置による画像データ管理方法、及びコンピュータプログラムに関する。
【背景技術】
【０００２】
現在、デジタルカメラ、デジタルビデオカメラ等の画像データを着脱可能な記録媒体（例えばメモリカード等）に記録する撮像装置が多く使用されている。
【０００３】
また、最近ではメモリカード等が未装着の状態でも画像データの一時的な保存等が可能なように、本体内に着脱不能な内蔵記録媒体を用意しておき、そこに撮影記録が可能な撮像装置も多くなってきている（例えば、特許文献１参照）。この場合、本体内の記録媒体とメモリカードとの間で、相互に記録してある画像データ移動等が可能であり、また夫々の画像の表示/削除等のファイル操作も可能となる。
【０００４】
また、多くの撮像装置では、着脱可能な記録媒体、着脱不能な内蔵記録媒体のどちらにおいても、画像データの消去時には誤消去防止の為の警告等がなされる（例えば、特許文献２参照）。
【０００５】
【特許文献１】特開２００１−３５２５１２号公報
【特許文献２】特開平１０−７９９１４号公報
【発明の開示】
【発明が解決しようとする課題】
【０００６】
しかしながら、従来の画像データの表示/移動/消去等の管理方法では、例えば撮像装置の盗難や紛失等により所有者以外が撮像装置を操作した場合に、着脱可能な記録媒体を所有者自身が保持していたとしても、本体内の記録媒体に記録された画像が自由に閲覧されたり、複写されて使用されたり、消去されたりするというおそれがあった。
【０００７】
また、セキュリティを考慮してメモリカード内に個別のＩＤを記録し、データの安全性を高めた着脱可能な記録媒体としてＳＤメモリカード等が提案されているものの、これも内蔵記録媒体の画像データの表示/移動/消去までは保護するものではなかった。
【０００８】
また、従来の撮像装置では、前述のように着脱可能な記録媒体、着脱不能な内蔵記録媒体のどちらにおいても、画像データの消去時には誤消去防止の為の警告等がなされるものの、消去後の回復は不可能なものとなっている。
【０００９】
本発明は上記のような点に鑑みてなされたものであり、着脱可能な記録媒体に記録された画像データを誤って消去したときでも、画像データの復旧が可能となるようにすることを目的とする。さらには、撮像装置本体内の内蔵記録媒体に記録された画像データの安全性を保つことができるようにすることを目的とする。
【課題を解決するための手段】
【００１０】
本発明の撮像装置は、撮影された画像データを着脱可能な記録媒体に記録するとともに、内蔵記録媒体を備えた撮像装置であって、前記着脱可能な記録媒体に記録された画像データの消去指示があるときに、当該画像データを前記内蔵記録媒体に記録した後に、前記着脱可能な記録媒体からの消去を実行する手段を有する点に特徴を有する。
本発明の他の撮像装置は、撮影された画像データを着脱可能な記録媒体に記録するとともに、内蔵記録媒体を備えた撮像装置であって、前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手段を有する点に特徴を有する。
本発明の画像データ管理方法は、撮影された画像データを着脱可能な記録媒体に記録するとともに、内蔵記録媒体を備えた撮像装置による画像データ管理方法であって、前記着脱可能な記録媒体に記録された画像データの消去指示があるときに、当該画像データを前記内蔵記録媒体に記録した後に、前記着脱可能な記録媒体からの消去を実行する手順を有する点に特徴を有する。
本発明の他の画像データ管理方法は、撮影された画像データを着脱可能な記録媒体に記録するとともに、内蔵記録媒体を備えた撮像装置による画像データ管理方法であって、前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手順を有する点に特徴を有する。
本発明のコンピュータプログラムは、撮影された画像データを着脱可能な記録媒体に記録するとともに、内蔵記録媒体を備えた撮像装置に用いられるコンピュータプログラムであって、前記着脱可能な記録媒体に記録された画像データの消去指示があるときに、当該画像データを前記内蔵記録媒体に記録した後に、前記着脱可能な記録媒体からの消去を実行する処理を実行させる点に特徴を有する。
本発明の他のコンピュータプログラムは、撮影された画像データを着脱可能な記録媒体に記録するとともに、内蔵記録媒体を備えた撮像装置に用いられるコンピュータプログラムであって、前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する処理を実行させる点に特徴を有する。
【発明の効果】
【００１１】
本発明によれば、着脱可能な記録媒体に記録された画像データを誤って消去したときでも、消去指示があったときに内蔵記録媒体に自動的に記録されているので画像データの復旧が可能になる。
【００１２】
さらに、内蔵記録媒体に画像データとともに着脱可能な記録媒体が有する固有のＩＤ情報が記録されている場合に、その画像データの消去／表示／転送の指示があった場合、ＩＤ情報の合致する着脱可能な記録媒体が装着されているときのみ当該指示に従うようにすれば、着脱可能な記録媒体を本体から外して管理することで、撮像装置本体内に記録された画像データの安全性が保たれ、画像データの不用意な視聴や流出を防ぐことができのみならず、盗難時に撮像装置の持ち主の確認のための機能をも持たせられるようになる。
【発明を実施するための最良の形態】
【００１３】
以下、添付図面を参照して、本発明の好適な実施形態について説明する。
（第１の実施形態）
図１に第１の実施形態の撮像装置の構成を示す。同図において、１０１は撮像するための光学レンズ、１０２は光学像を電気画像信号に変換する撮像素子、１０３は撮像素子１０２からの画像信号を処理し記録可能な画像データに変換する信号処理回路である。
【００１４】
１０４は撮像するための画像や記録された画像を表示するための表示装置、１０５は本撮像装置を制御し、画像データを記録媒体に記録する等の制御を行うＣＰＵ等からなるコントローラ、１０６はコントローラ１０５に対する指示を行う操作キー群である。
【００１５】
１０７は撮像装置に内蔵された着脱不能な内蔵記録媒体、１０８は着脱可能な記録媒体との接続を行うコネクタ、１０９は着脱可能な記録媒体であるメモリカードである。メモリカード１０９には、読み出し可能で書き換え不能な固有のＩＤ（一枚一枚で異なるＩＤ）が製造時に書き込まれている。
【００１６】
撮像装置における一般的な撮影動作を説明すると、被写体が撮影されると光学レンズ１０１を通って光学像が撮像素子１０２に結像し、電気画像信号に変換される。画像信号は信号処理回路１０３において処理されて画像データとなり、コントローラ１０５にて記録媒体に記録するための圧縮処理やファイル化処理等が行われた後、メモリカード１０９に記録される。このときに、記録する画像の確認等は表示装置１０４にて行われ、記録の指示は操作キー群１０６にある記録キーのタイミングにてなされる。
【００１７】
この場合のコントローラ１０５周辺での処理動作を示したフローチャートが図３である。また、コントローラ１０５周辺の処理動作を模式的に示したのが図２Ａ及び図２Ｂである。撮影待機状態においてコントローラ１０５はトリガーキーの押し下げを待っている（ステップＳ３０１）。トリガーキーの押し下げを検出すると、次にメモリカード１０９の有無を検査する（ステップＳ３０２）。
【００１８】
そして、メモリカード１０９が有る場合、コントローラ１０５はレンズ１０１、撮像素子１０２、信号処理回路１０３を介して処理された画像データをメモリカード１０９に書き込む（ステップＳ３０３）。このときの処理動作の模式図が図２Ａである。
【００１９】
一方、メモリカード１０９が無い場合、コントローラ１０５は画像データを内蔵記録媒体１０７に書き込む（ステップＳ３０４）。このときの処理動作の模式図が図２Ｂである。
【００２０】
次に、撮影された画像データを消去する処理動作を説明する。この場合のコントローラ１０５周辺での処理動作を示したフローチャートが図４である。撮影動作と同様に待機状態においてコントローラ１０５が消去キーの押し下げを検出すると（ステップＳ４０１）、次にその消去される画像データが何処に有るどういうものかの判断を行う（ステップＳ４０２）。
【００２１】
ステップＳ４０２における消去画像データがメモリカード１０９に有る画像データである場合は、バックアップ動作としてメモリカード１０９から固有のＩＤを読み出し、そのＩＤと、画像データのファイル名、更に画像データ自体をひとまとめにし内蔵記録媒体１０７に記録し（ステップＳ４０３）、その後メモリカード１０９内の当該画像データを消去する（ステップＳ４０４）。このときの処理動作の模式図が図２Ｃである。
【００２２】
また、ステップＳ４０２における消去画像データが内蔵記録媒体１０７に有り、それが先の図３のステップＳ３０４のように内蔵記録媒体１０７に直接記録された撮影画像データである場合は、そのままその内蔵記録媒体１０７内の当該画像データを消去する（ステップＳ４０５）。
【００２３】
また、ステップＳ４０２における消去画像データが内蔵記録媒体１０７に有り、それが先の図２Ｃのようなバックアップ動作によって記録されたものである場合は、続けてメモリカード１０９の有無を検査し（ステップＳ４０６）、メモリカード１０９が有る場合はそのメモリカード１０９の固有のＩＤを読み出し、消去されようとしている当該画像データと同時に記録されたＩＤとの照合を行い（ステップＳ４０７）、それらが合致した場合には内蔵記録媒体１０７内の当該画像データを消去する（ステップＳ４０５）。このときの処理動作の模式図が図２Ｅである。一方、メモリカード１０９が無い、或いは、メモリカード１０９の固有のＩＤが合致しない場合は、消去動作を行わずに処理を終了する。このときの処理動作の模式図が図２Ｄである。
【００２４】
次に、撮影された画像データを表示する処理動作を説明する。この場合のコントローラ１０５周辺の処理動作を示したのが図５である。前述の各動作と同様に待機状態においてコントローラ１０５が画像選択キーの押し下げを検出すると（ステップＳ５０１）、次にその選択される画像データが何処に有るどういうものかの判断を行う（ステップＳ５０２）。
【００２５】
ステップＳ５０２における選択画像データがメモリカード１０９に有る画像データである場合は、そのまま表示装置１０４に表示する（ステップＳ５０３）。
【００２６】
また、ステップＳ５０２における選択画像データが内蔵記録媒体１０７に有り、それが先の図３のステップＳ３０４のように内蔵記録媒体１０７に直接記録された撮影画像データである場合は、そのまま表示装置１０４に表示する（ステップＳ５０４）。
【００２７】
また、ステップＳ５０２における選択画像データが内蔵記録媒体１０７に有り、それが先の図２Ｃのようなバックアップ動作によって記録されたものである場合は、続けてメモリカード１０９の有無を検査し（ステップＳ５０５）、メモリカード１０９が有る場合はそのメモリカード１０９の固有のＩＤを読み出し、選択され表示しようとしている当該画像データと同時に記録されたＩＤの照合を行い（ステップＳ５０６）、それらが合致した場合には内蔵記録媒体１０７内の当該画像データを表示装置１０４に表示する（ステップＳ５０７）。一方、メモリカード１０９が無い、或いは、メモリカード１０９の固有のＩＤが合致しない場合は、表示動作を行わずに処理を終了する。このときの処理動作の模式図が図２Ｄである。
【００２８】
次に、撮影された画像データをユーザの意志で明示的に転送する処理動作を説明する。この場合のコントローラ１０５周辺の処理動作を示したのが図６ある。前述の各動作と同様に待機状態においてコントローラ１０５が画像転送キーの押し下げを検出すると（ステップＳ６０１）、次にメモリカード１０９の有無を検査する（ステップＳ６０２）。メモリカード１０９が無い場合は転送することができないので、転送処理を終了する。メモリカード１０９が有る場合は、次にその転送する画像データが何処に有るどういうものかの判断を行う（ステップＳ６０３）。
【００２９】
ステップＳ６０３における転送画像データがメモリカード１０９に有る画像データの場合は、バックアップ動作としてメモリカード１０９から固有のＩＤを読み出し、そのＩＤと、画像データのファイル名、更に画像データ自体をひとまとめにし内蔵記録媒体１０７に記録し（ステップＳ６０４）、その後メモリカード１０９内の当該画像データを消去する（ステップＳ６０５）。このときの処理動作の模式図は図２Ｃである。
【００３０】
また、ステップＳ６０３における転送画像データが内蔵記録媒体１０７に有り、それが先の図３のステップＳ３０４のように内蔵記録媒体１０７に直接記録された撮影画像データである場合は、そのまま当該画像データを内部記録媒体１０７からメモリカード１０９に転送し（ステップＳ６０６）、内部記録媒体１０７の当該画像データを消去する（ステップＳ６０７）。
【００３１】
また、ステップＳ６０３における転送画像データが内蔵記録媒体１０７に有り、それが先の図２Ｃのようなバックアップ動作によって記録されたものである場合は、メモリカード１０９の固有のＩＤを読み出し、転送しようとしている当該画像データと同時に記録されたＩＤの照合を行い（ステップＳ６０８）、それらが合致した場合には内蔵記録媒体１０７内の当該画像データとそのファイル名をメモリカード１０９に転送し（ステップＳ６０９）、内部記録媒体１０７の当該画像データを消去する（ステップＳ６１０）。このときの処理動作の模式図は図２Ｆである。
【００３２】
なお、本発明の目的は、上述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３３】
この場合、記憶媒体から読み出されたプログラムコード自体が上述した実施形態の機能を実現することになり、プログラムコード自体及びそのプログラムコードを記憶した記憶媒体は本発明を構成することになる。
【００３４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３５】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００３６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３７】
【図１】実施形態の撮像装置の構成を示す図である。
【図２Ａ】撮像装置での処理動作を示した模式図である。
【図２Ｂ】撮像装置での処理動作を示した模式図である。
【図２Ｃ】撮像装置での処理動作を示した模式図である。
【図２Ｄ】撮像装置での処理動作を示した模式図である。
【図２Ｅ】撮像装置での処理動作を示した模式図である。
【図２Ｆ】撮像装置での処理動作を示した模式図である。
【図３】撮像装置での処理動作を示したフローチャートである。
【図４】撮像装置での処理動作を示したフローチャートである。
【図５】撮像装置での処理動作を示したフローチャートである。
【図６】撮像装置での処理動作を示したフローチャートである。
【符号の説明】
【００３８】
１０１    光学レンズ
１０２    撮像素子
１０３    信号処理回路
１０４    表示装置
１０５    コントローラ
１０６    操作キー群
１０７    内蔵記録媒体
１０８    コネクタ
１０９    着脱可能な記録媒体であるメモリカード
【図１】
2006014184.tif 000003
【図２Ａ】
2006014184.tif 000004
【図２Ｂ】
2006014184.tif 000005
【図２Ｃ】
2006014184.tif 000006
【図２Ｄ】
2006014184.tif 000007
【図２Ｅ】
2006014184.tif 000008
【図２Ｆ】
2006014184.tif 000009
【図３】
2006014184.tif 000010
【図４】
2006014184.tif 000011
【図５】
2006014184.tif 000012
【図６】
2006014184.tif 000013